(57)【要約】【課題】複数の外部端末に取得された放送マネージドアプリケーションがそれぞれ一つのデジタル放送受信機に対して別々の放送チャネルを要求することがないようにした外部端末及びデジタル放送受信機を提供する。【解決手段】外部端末（４）は、デジタル放送の番組を受信できるデジタル放送受信機（３）に対する端末連携を実行可能である。外部端末（４）は、前記デジタル放送受信機（３）に連携要求を送信して、連携応答を受信する送受信部（４７）と、前記連携応答に基づいて、連携可能な前記デジタル放送受信機（３）を判定し、当該デジタル放送受信機（３）と連携を行う連携制御部（４８）と、を具備する。【選択図】図１
2015139149.tif 000002
【特許請求の範囲】
【請求項１】
デジタル放送の番組を受信できるデジタル放送受信機に対する端末連携を実行可能な外部端末であって、
前記デジタル放送受信機に連携要求を送信して、連携応答を受信する送受信部と、
前記連携応答に基づいて、連携可能な前記デジタル放送受信機を判定し、当該デジタル放送受信機と連携を行う連携制御部と、
を具備することを特徴とする外部端末。
【請求項２】
前記連携応答は、前記デジタル放送受信機が選局可能な放送チャネルと、前記放送チャネルを選局することで確認可能な受信感度であり、
前記連携制御部は、連携を行う前記放送チャネルを前記連携応答から受信可能かを判定することを特徴とする請求項１に記載の外部端末。
【請求項３】
前記放送チャネルは、取得した放送マネージドアプリケーションが指定する放送チャネルであることを特徴とする請求項２に記載の外部端末。
【請求項４】
前記放送チャネルは、取得したコンパニオンアプリケーションが指定する放送チャネルであることを特徴とする請求項２に記載の外部端末。
【請求項５】
外部端末装置と端末連携を実行可能で、デジタル放送の番組を受信できるデジタル放送受信機であって、
デジタル放送の選局を行う放送波受信部と、
端末連携を確立したときに、前記放送波受信部に対して連携を行うチャネルに選局状態をロックする制御部と、
を備えることを特徴とするデジタル放送受信機。
【発明の詳細な説明】
【技術分野】
【０００１】
本発明は、放送通信連携サービスをユーザに提供する外部端末及びデジタル放送受信機に関する。
【背景技術】
【０００２】
ＩＰ（Internet Protocol）を利用してデジタルテレビ放送を配信する技術（その技術をＩＰＴＶという）が開発されている。そのＩＰＴＶの規定として、放送通信連携システム（ハイブリッドキャスト方式）が策定されている（例えば非特許文献１）。この放送通信連携システムでは、デジタル放送受信機は、放送信号を放送波により受信して、放送信号に含まれる放送コンテンツ（放送番組）を取得すると共に、ネットワーク経由で通信コンテンツを取得して、放送コンテンツと通信コンテンツとを同期再生する。これによれば，宅内のネットワーク（ＬＡＮ）に接続された受信機（ＴＶなど）と外部端末（タブレットなど）が端末連携（ペアリング）をして，各々の機器のアプリケーションが同期しながら動作をすることでサービスを提供する。
【０００３】
ここで提供されるアプリケーションは，放送チャネルごとあるいは放送番組ごとに異なり、受信機あるいは外部端末にダウンロードした該アプリケーションを利用する際、放送波と同期した動作を取るために受信機が指定の（アプリに紐付く）放送チャネルを受信する。
【０００４】
上記ハイブリッドキャスト方式において放送波を受信する受信機と、端末連携を行う外部端末との間には、お互いの機器を発見し通信を確立する手順が必要であるが、その手順・通信方式などについては特に規定されていない。
【先行技術文献】
【非特許文献】
【０００５】
【非特許文献１】ＩＰＴＶ規定  放送通信連携システム仕様  ＩＰＴＶＦＪ  ＳＴＤ−００１０  １．０版（２０１３年３月２２日１．０版策定）
【発明の概要】
【発明が解決しようとする課題】
【０００６】
ハイブリッドキャスト放送が受信可能なデジタル放送受信機は、宅内のネットワークにつながる機器の中で、固定ＴＶであっても１台とは限らず、また固定ＴＶ以外でもタブレットなどチューナを搭載し放送波を受信可能な機器があるため、ある外部端末が端末連携をしたい場合、ペアリングする相手受信機を１つに特定できないことが想定される。
【０００７】
例えば、既に動作している他の放送マネージドアプリケーションが、ある受信機の放送チャネルを利用していると、（別の端末から）新たに放送チャネルを利用するような放送マネージドアプリケーションを使用しようとしても、複数のアプリケーションが同じデジタル放送受信機に対して別々の放送チャネルを要求する可能性があり、一方の放送マネージドアプリケーションが該受信機において放送チャネルを利用できないという混乱が生じる可能性がある。
【０００８】
本発明は、上記の点に鑑みてなされたものであり、複数の外部端末がそれぞれ一つのデジタル放送受信機に対して別々の放送チャネルを要求することがないようにした外部端末及びデジタル放送受信機を提供することを目的とする。
【課題を解決するための手段】
【０００９】
本発明は、デジタル放送の番組を受信できるデジタル放送受信機に対する端末連携を実行可能な外部端末であって、前記デジタル放送受信機に連携要求を送信して、連携応答を受信する送受信部と、前記連携応答に基づいて、連携可能な前記デジタル放送受信機を判定し、当該デジタル放送受信機と連携を行う連携制御部と、を具備することを特徴とする。
【００１０】
ここで、前記連携応答は、受信可能な放送チャネルであり、前記連携制御部は、連携を行う前記放送チャネルを受信可能かを判定することを特徴とする。
【００１１】
また、前記連携応答は、前記デジタル放送受信機が選局可能な放送チャネルと、前記放送チャネルを選局することで確認可能な受信感度であり、前記連携制御部は、連携を行う前記放送チャネルを前記連携応答から受信可能かを判定することを特徴とする。
【００１２】
また、前記放送チャネルは、取得した放送マネージドアプリケーションが指定する放送チャネルであってもよいし、取得したコンパニオンアプリケーションが指定する放送チャネルであってもよい。
【００１３】
また、本発明は、外部端末装置と端末連携を実行可能で、デジタル放送の番組を受信できるデジタル放送受信機であって、デジタル放送の選局を行う放送波受信部と、端末連携を確立したときに、前記放送波受信部に対して連携を行うチャネルに選局状態をロックする制御部と、を備えることを特徴とする。
【発明の効果】
【００１４】
本発明によれば、端末連携を行おうとする外部端末は、デジタル放送受信機の放送波チャネルの利用の可否を確認して連携を行うので、複数の外部端末がある場合でも、外部端末が取得した放送マネージドアプリケーションやコンパニオンアプリケーションが、一つの受信機に対して別々の放送チャネルを要求することはなくなる。
【図面の簡単な説明】
【００１５】
【図１】本発明に係る放送通信連携システムの構成を示す概略ブロック図である。
【図２】外部端末の端末連携の全体処理を示すフローチャートである。
【図３】第１実施形態における放送連携システムの処理を示すシーケンス図である。
【図４】第２実施形態における放送連携システムの処理を示すシーケンス図である。
【図５】第３実施形態における放送連携システムの処理を示すシーケンス図である。
【発明を実施するための形態】
【００１６】
以下、本発明の実施の形態を添付図面を参照して説明する。
【００１７】
図１は、本発明に係る放送通信連携システムの構成を示す概略ブロック図である。放送通信連携システムは、放送局が放送波により放送サービスを提供するための放送局サーバ１と、サービス事業者がインターネット等の通信ネットワークを介して通信サービスを提供するための通信サーバ２と、利用者に利用されるデジタル放送受信機３及び外部端末４と、を具備している。
【００１８】
外部端末４としてはタブレット端末が例示され、外部端末４はホームネットワーク内でデジタル放送受信機３と接続され、そのデジタル放送受信機３と端末連携（ペアリング）可能である。ホームネットワークによる短距離無線通信技術としては無線ＬＡＮ（Local Area Network）やブルートゥース（Bluetooth（登録商標））などが例示される。
【００１９】
放送局サーバ１は、一般的なデジタル放送用の放送設備（図示しない）を備えたコンピュータである。放送局サーバ１は、コンピュータが実行可能なコンピュータプログラムが格納された記憶装置（図示しない）と、そのコンピュータプログラムを読み出して実行するＣＰＵ（Central Processing Unit）（図示しない）と、を具備している。放送局サーバ１は、放送番組、データ放送、アプリケーション制御情報（Application Information Table：ＡＩＴ）等を多重化した放送信号を生成する。放送局サーバ１は、その放送信号を放送波に変調し、放送用アンテナを介して放送波を送信する。
【００２０】
放送信号は、ＡＲＩＢ（登録商標）（Association of Radio Industries and Broadcast：社団法人電波産業会）標準規格で規定される。デジタル放送によって提供される映像、音声等の各種データは、国際標準規格ＭＰＥＧ−２  Ｓｙｓｔｅｍｓで規定されるＴＳパケット（トランスポートストリームパケット）に格納されて、時分割で多重伝送される。ＴＳパケットには、セクションに対してＰＳＩ（Program Specific Information）／ＳＩ（Service Information）が規定されている。ＰＳＩ／ＳＩは、ＴＳパケットに格納されているデータの種別を示す情報や、コンテンツの種別を示す情報を含んでいる。データの種別を示す情報は、データ放送用のデータとＡＩＴとを伝送するための伝送情報（Program Map Table：ＰＭＴ）を含んでいる。
【００２１】
データ放送は、放送番組と連携するコンテンツである。データ放送向けの記述言語としては、ＢＭＬ（Broadcast Markup Language）文書が使用され、ＢＭＬはＡＲＩＢ（登録商標）により策定されている。ＰＭＴは、データ放送を伝送するコンポーネントに関わるデータ符号化方式記述子のadditional_arib_bxml_info()において、データ放送の起動を最優先とするか否かを指定するための起動優先制御情報を含んでいる。その起動優先制御情報が最優先を示している場合は、データ放送はデジタル放送受信機３により起動される。
【００２２】
ＡＩＴは、放送マネージドアプリケーションを管理するための情報である。放送マネージドアプリケーションは、放送番組と連携する他のコンテンツであり、データ放送とは記述言語等のデータ形式が異なる。放送マネージドアプリケーション向けの記述言語としては、ＨＴＭＬ（Hyper Text Markup Language）文書が使用される。また、ＡＩＴは、放送マネージドアプリケーションを識別するアプリケーションＩＤ、放送マネージドアプリケーションの所在を示す所在情報（Uniform Resource Locator：ＵＲＬ）、アプリケーションバウンダリ情報、アクセス権限設定情報、参照リソース情報などを含んでいる。ＰＭＴは、ＡＩＴを伝送するコンポーネントに関わるデータ符号化方式記述子のait_identifier_info()において、放送マネージドアプリケーションの起動を最優先とするか否かを指定するための起動優先制御情報を含んでいる。その起動優先制御情報が最優先を示している場合は、放送マネージドアプリケーションはデジタル放送受信機３により起動される。
【００２３】
通信サーバ２は、放送局サーバ１の設備と通信可能に接続され、放送マネージドアプリケーションを配信するコンピュータである。通信サーバ２は、コンピュータが実行可能なコンピュータプログラムが格納された記憶装置（図示しない）と、そのコンピュータプログラムを読み出して実行するＣＰＵ（図示しない）と、を具備している。通信サーバ２は、アプリケーション取得要求に応じて、放送マネージドアプリケーションを、通信ネットワークを介して配信する。
【００２４】
デジタル放送受信機３は、チューナ部１１と、放送波受信部１２と、記憶部１３と、受信感度測定部１４と、受信機用出力部２０と、通信部３１と、受信機用制御部３２と、端末連携制御部３３と、これらを制御するＣＰＵ（図示しない）と、を具備している。通信部３１は、通信ネットワークを介して通信サーバ２と通信を行う通信インタフェースである。端末連携制御部３３は、ホームネットワーク内で通信可能な機器（外部端末４）と、端末連携を実行する。ＣＰＵは、チューナ部１１、放送波受信部１２、記憶部１３、受信感度測定部１４、受信機用出力部２０、通信部３１、受信機用制御部３２、端末連携制御部３３、に対して制御を行う。記憶部１３にはコンピュータが実行可能なコンピュータプログラムが格納され、ＣＰＵはそのコンピュータプログラムを読み出して実行する。
【００２５】
放送波受信部１２は、放送番組が視聴される放送番組視聴指示に応じて、放送番組を提示する放送番組提示機能（図示しない）を備えている。放送波受信部１２の放送番組提示機能は、チューナ部１１を介して放送局サーバ１から放送されている放送波を受信する。放送波受信部１２は、その放送波を復調し、放送波から放送信号、すなわち、ＴＳパケットを抽出する。放送波受信部１２の放送番組提示機能は、ＴＳパケットのＰＳＩ／ＳＩを参照して、ＴＳパケットに含まれている放送番組（映像データ及び音声データ）を受信機用出力部２０に出力する。この放送番組は、ユーザがリモコンなどで選局した放送チャネルの番組であり、放送波受信部１２が選局された放送番組を抽出する。また、放送波受信部１２の情報抽出機能は、予め規定されている伝送方法に応じて、ＴＳパケットからＰＭＴやＡＩＴを抽出して記憶部１３に格納する。
【００２６】
受信感度測定部１４は、放送波が受信されたときの電波状態を表す値を計測して、受信機用制御部３２に出力する。電波状態を表す値としては、搬送波対雑音比（Ｃ／Ｎ比）の値などが例示される。Ｃ／Ｎ比の値が、Ｃ／Ｎ比の設定値（以下、閾値と称する）を超えている場合、受信品質が良好である。Ｃ／Ｎ比の値が閾値以下である場合、受信品質が悪化している。
【００２７】
受信機用出力部２０は、音声制御部２１と、表示制御部２２と、スピーカ２３と、表示部２４と、を備えている。音声制御部２１は、放送波受信部１２からの音声データを、表示制御部２２により表示制御される映像データと同期をとりながらスピーカ２３に出力する。表示制御部２２は、放送波受信部１２からの映像データを、音声制御部２１により出力制御される音声データと同期をとりながら表示部２４に表示する。
【００２８】
受信機用制御部３２は、ＡＩＴに基づいて通信サーバ２より放送マネージドアプリケーションを取得するアプリケーション取得制御部３４と、取得したアプリケーションを実行するアプリケーション実行制御部３６とを備えている。アプリケーション取得制御部３４により取得された放送マネージドアプリケーションは、そのアプリケーション実行制御部３６上で起動・終了する。アプリケーション取得制御部３４は、記憶部１３に格納されたＡＩＴに基づいて、アプリケーション取得要求（デジタル放送受信機３を識別する識別子と、上述のＡＩＴのアプリケーションＩＤ、ＵＲＬと、を少なくとも含む）を、通信部３１を介して通信サーバ２に送信し、通信サーバ２から放送マネージドアプリケーションを取得する。アプリケーション実行制御部３６は、その放送マネージドアプリケーションを起動させて受信機用出力部２０に提示する。
【００２９】
受信機用制御部３２は、更に、データ放送を提示するためのデータ放送提示機能（図示しない）を備えている。受信機用制御部３２のデータ放送提示機能は、記憶部１３に格納されたＰＭＴに基づいて、データ放送を起動させて受信機用出力部２０に提示する。
【００３０】
受信機用制御部３２は、当然ながら通常の放送受信制御も行っており、ユーザのリモコンなどによる選局指示に従って、放送チャネルの選局指示を放送波受信部１２に行う。
【００３１】
端末連携制御部３３は、送受信部３７と、連携制御部３８とを備える構成である。送受信部３７は、外部端末４からのペアリング要求を受信したり、それに対するデジタル放送受信機３からの応答を送信したりする。連携制御部３８は、外部端末４と連携を行う制御を行う。
【００３２】
外部端末４は、通信部４１と、端末用制御部４２と、端末連携制御部４３と、端末用出力部５０と、これらを制御するＣＰＵ（図示しない）と、記憶部（図示しない）とを具備している。通信部４１は、通信ネットワークを介して通信サーバ２と通信を行う通信インタフェースである。端末連携制御部４３は、デジタル放送受信機３の端末連携制御部３３に対して端末連携を実行する。記憶部にはコンピュータが実行可能なコンピュータプログラムが格納され、ＣＰＵはそのコンピュータプログラムを読み出して実行する。
【００３３】
端末用出力部５０は、音声制御部５１と、表示制御部５２と、スピーカ５３と、表示部５４と、を備えている。音声制御部５１は、音声データを、表示制御部５２により表示制御される映像データと同期をとりながらスピーカ５３に出力する。表示制御部５２は、映像データを、音声制御部５１により出力制御される音声データと同期をとりながら表示部５４に表示する。端末用制御部４２は、ユーザにより選択された位置に応じて、外部端末４の各構成要素を制御する。
【００３４】
端末用制御部４２は、放送マネージドアプリケーションを取得するアプリケーション取得制御部４４と、取得された放送マネージドアプリケーションを起動・終了するアプリケーション実行制御部４５とを備える。アプリケーション取得制御部４４は、デジタル放送受信機３から端末連携により通知されるＡＩＴに基づいて、アプリケーション取得要求（デジタル放送受信機３を識別する識別子と、上述のＡＩＴのアプリケーションＩＤ、ＵＲＬと、を少なくとも含む）を、通信部３１を介して通信サーバ２に送信し、通信サーバ２から放送マネージドアプリケーションを取得する。アプリケーション実行制御部４５は、その放送マネージドアプリケーションを起動させて端末用出力部５０に提示する。
【００３５】
端末連携制御部４３は、送受信部４７と、連携制御部４８とを備える構成である。送受信部４７は、取得した放送マネージドアプリケーションやコンパニオンアプリケーションが指定する放送チャネルを受信可能なデジタル放送受信機３に対して、ペアリング要求を送信したり、それに対するデジタル放送受信機３からの応答を受信したりする。連携制御部４８は、放送チャネルを受信できるデジタル放送受信機３と連携を行う制御を行う。
【００３６】
次に本発明の特徴である外部端末の端末連携機能について、各実施形態の説明を行う。
図２は、外部端末の端末連携の全体処理を示すフローチャートである。図２に基づきながら、それぞれの実施形態の処理を説明する。
【００３７】
＜第１実施形態＞
第１実施形態は、放送マネージドアプリケーションを取得した外部端末が、他の外部端末と連携状態にあるデジタル放送受信機（以下、受信機と略称する）や受信不良の受信機を避けて、所望の放送チャネルを受信可能な受信機と連携するものである。図３は、第１実施形態における放送連携システムの処理を示すシーケンス図である。この放送連携システムは、受信機３０１，３０２，３０３と、外部端末４０１，４０２とを有する構成である。受信機３０１，３０２，３０３は図１のデジタル放送受信機３と同じ構成であり、外部端末４０１，４０２は図１の外部端末４と同じ構成である。
【００３８】
図３においては、外部端末４０１は、放送チャネル１で受信機３０１と放送連携動作中である。外部端末４０２は、放送マネージドアプリケーションを既にダウンロード済みであり、これを起動して放送チャネル２の番組で放送通信連携の動作を行おうしている。受信機３０２は、単独で放送チャネル２を受信中、あるいは受信可能（視聴状態ではない）である。また受信機３０３は、受信感度測定部１４により測定した結果、受信状態が不良である。
【００３９】
外部端末４０２は、ペアリング確立状態ではないので、受信機３０１，３０２，３０３に対して放送チャネル２でのペアリング要求を送信する（Ｔ１）。受信機３０１，３０２，３０３は、これに対するペアリング応答を外部端末４０２に返す（Ｔ２）。受信機３０１は、外部端末４０１と放送チャネル１において連携動作中（ペアリング中）であるので、「チャネル１受信中」と受信感度（受信レベル）の応答を返す。また、受信機３０２は、単独で放送チャネル２を受信中、あるいは受信可能であるので、「チャネル２受信可」と受信感度との応答を返す。また、受信機３０３は、受信状態が不良であるので、「チャネル２受信不可」と応答を返す。
【００４０】
外部端末４０２は、応答のあった受信機３０１，３０２，３０３の応答をリスト化して記憶部に記憶する（Ｔ１３）。外部端末４０２は、応答リストに基づいて受信可能な受信機を判定する（Ｔ１４）。すなわち、応答リストに格納されているペアリングで利用する放送チャネルを選局して受信できるか、そして更にそのチャネルの受信感度が受信可能なレベルであるのかを判定する。その判定結果として、放送チャネル２を受信可能なのは、受信機３０２であるので、受信機３０２にマスターとなるように依頼通知を送る（Ｔ１５）。受信機３０１は放送チャネル１を受信中、受信機３０２は受信状態不良であるから、この二つにはマスターとなるようにという依頼は送らない。依頼を受けた受信機３０２は、受理通知を外部端末４０２に返信する（Ｔ１６）。外部端末４０２が受理通知を受信すると、外部端末４０２と受信機３０２は連携を確立し、連携状態となる（Ｔ１７）。受信機３０２は、放送チャネル２に選局状態をロックし受信を始める（Ｔ１８）。これは、受信機３０２の端末連携制御部３３が連携状態になったことを受信機用制御部３２に通知し、受信機用制御部３２が放送波受信部１２に選局状態をロックさせることにより達成する。こうすることで、ペアリング中は、受信機に対して、リモコンなどで他チャネルに選局できないようにする。
【００４１】
この処理について、図２により外部端末４０２の処理として詳しく説明する。
外部端末４０２の端末連携制御部４３における連携制御部４８は、端末用制御部４２のアプリケーション取得制御部４４から放送マネージドアプリケーションを取得済みであるかを確認する（ステップＳ１）。外部端末４０２の送受信部４７は、放送マネージドアプリケーションを取得済みであれば、アプリケーション指定の放送チャネル２でホームネットワークに接続している受信機３０１，３０２，３０３にペアリング要求を送信する（ステップＳ２）。これに対して外部端末４０２の連携制御部４８は、全ての受信機３０１，３０２，３０３から応答があったかを確認し（ステップＳ３）、そうであれば、応答リストを作成して記憶部に記憶する（ステップＳ４）。そして、連携制御部４８は、リスト内に放送マネージドアプリケーション指定の放送チャネルを受信可能な受信機があるかを確認する（ステップＳ５）。
【００４２】
受信可能か否かの判定は、記憶されている応答リストに基づいて次のように行われる。まず、ペアリングを行う放送チャネルを選局して受信可能であれば、受信可能とする。次に、受信感度が所定値以上であれば受信可能とする。この所定値は、受信に支障がない限界値としてあらかじめ設定しておく。
【００４３】
受信可能な受信機があれば、その受信機にマスターとなるように依頼通知を送信する（ステップＳ６）。受信可能な受信機がなければ、ペアリング不可となり（ステップＳ１７）、処理を終了する。
【００４４】
連携制御部４８は送受信部４７を介して受信機から受理通知があるかを確認し（ステップＳ７）、受理通知あれば、ペアリングを確立する（ステップＳ８）。
【００４５】
ステップＳ２において、放送マネージドアプリケーションを取得済みでなければ、ステップ９に進むが、これは第３実施形態の処理であるので、後述する。
【００４６】
図３の放送連携システムでは、受信機３０２が受信可能であるので、この受信機３０２にマスターとなるように依頼通知を出して、ペアリングを確立する。もし、図３の放送連携システムで、受信機３０２が存在しない場合は、ステップＳ５において、ペアリング可能な受信機が存在しないことになるので、ペアリング不可として（ステップＳ１７）、処理を終了する。この場合は、例えば外部端末の表示部にペアリング可能な受信機が存在しない旨、あるいは放送マネージドアプリケーションが利用できない旨を表示しても良い。
【００４７】
こうして、外部端末４０２は、ホームネットワーク内にある受信機に対して、放送マネージドアプリケーションが指定の放送チャネルの利用の可否を確認してペアリングを行うので、受信可能な受信機のみとペアリングを行うことができ、受信可能ではない受信機にペアリングを要求することはなくなる。
【００４８】
＜第２実施形態＞
第２実施形態は、外部端末が、他の外部端末と連携状態にある受信機（以下、受信機と略称する）に対して、受信中の放送チャネルで連携するものである。図４は、第２実施形態における放送連携システムの処理を示すシーケンス図である。この放送連携システムは、受信機３０１，３０２と、外部端末４０１，４０２とを有する構成である。
【００４９】
図４においては、外部端末４０１は、放送チャネル１で受信機３０１と放送連携動作中である。外部端末４０２は、放送マネージドアプリケーションを既にダウンロード済みであり、これを起動して外部端末４０１と同様に放送チャネル１の番組で放送通信連携の動作を行おうしている。受信機３０２は、単独で放送チャネル２を受信中、あるいは受信可能（視聴状態ではない）である。
【００５０】
外部端末４０２は、ペアリング確立状態ではないので、受信機３０１，３０２に対して放送チャネル１でのペアリング要求を送信する（Ｔ２１）。受信機３０１，３０２は、これに対するペアリング応答を外部端末４０２に返す（Ｔ２２）。受信機３０１は、外部端末４０１と放送チャネル１において連携動作中（ペアリング中）であるので、「チャネル１受信中」と受信レベル（受信感度）の応答を返す。また、受信機３０２は、単独で放送チャネル２を受信中、あるいは受信可能であるので、「チャネル２受信可」と受信感度との応答を返す。
【００５１】
外部端末４０２は、応答のあった受信機３０１，３０２の応答をリスト化して記憶部に記憶する（Ｔ２３）。外部端末４０２は、応答リストに基づいて判定すると（Ｔ２４）、放送チャネル１を受信可能なのは、受信機３０１であるので、受信機３０１にマスターなるように依頼通知を送る（Ｔ２５）。受信機３０２は放送チャネル２を受信可能であるので、マスターとなるようにという依頼は送らない。依頼を受けた受信機３０１は、受理通知を外部端末４０２に返信する（Ｔ２６）。外部端末４０２が受理通知を受信すると、外部端末４０２と受信機３０１は放送チャネル１で連携を確立し連携状態となる（Ｔ２７）。
【００５２】
この処理について、図２による外部端末４０２の処理としては、第１実施形態と同じなので説明は省略する。
【００５３】
こうして、外部端末４０２は、ホームネットワーク内で連携中である受信機に対しても、放送マネージドアプリケーションが指定の放送チャネルの利用の可否を確認してペアリングを行うので、受信可能な受信機のみとペアリングを行うことができ、受信可能ではない受信機にペアリングを要求することはなくなる。
【００５４】
＜第３実施形態＞
第３実施形態は、コンパニオンアプリケーションを取得した外部端末が、他の外部端末と連携状態にあるデジタル放送受信機や受信不良の受信機を避けて、所望の放送チャネルを受信可能な受信機と連携するものである。図５は、第３実施形態における放送連携システムの処理を示すシーケンス図である。この放送連携システムは、受信機３０１，３０２と、外部端末４０１，４０２とを有する構成である。
【００５５】
図５においては、外部端末４０１は、放送チャネル１で受信機３０１と放送連携動作中である。外部端末４０２は、コンパニオンアプリケーションを既にダウンロード済みであり、これを起動して放送チャネル２の番組で放送通信連携の動作を行おうしている。受信機３０２は、単独で放送チャネル２を受信中、あるいは受信可能（視聴状態ではない）である。
【００５６】
外部端末４０２は、ペアリング確立状態ではないので、受信機３０１，３０２に対して放送チャネル２でのペアリング要求を送信する（Ｔ３１）。受信機３０１，３０２は、これに対するペアリング応答を外部端末４０２に返す（Ｔ３２）。受信機３０１は、外部端末４０１と放送チャネル１において連携動作中（ペアリング中）であるので、「チャネル１受信中」と受信感度の応答を返す。また、受信機３０２は、単独で放送チャネル２を受信中、あるいは受信可能であるので、「チャネル２受信可」と受信感度との応答を返す。
【００５７】
外部端末４０２は、応答のあった受信機３０１，３０２の応答をリスト化して記憶する（Ｔ３３）。外部端末４０２は、応答リストに基づいて判定すると（Ｔ３４）、放送チャネル２を受信可能なのは、受信機３０２であるので、受信機３０２にマスターとなるように依頼通知を送る（Ｔ３５）。受信機３０１は放送チャネル１を受信中であるから、マスターとなるようにという依頼は送らない。依頼を受けた受信機３０２は、受理通知を外部端末４０２に返信する（Ｔ３６）。外部端末４０２が受理通知を受信すると、外部端末４０２と受信機３０２は放送チャネル２で連携を確立し、連携状態となる（Ｔ３７）。受信機３０２は、放送チャネル２に選局状態をロックし受信を始める（Ｔ３８）。
【００５８】
この処理について、図２により外部端末４０２の処理として詳しく説明する。
外部端末４０２の端末連携制御部４３における連携制御部４８は、端末用制御部４２のアプリケーション取得制御部４４から放送マネージドアプリケーションを取得済みであるかを確認する（ステップＳ１）。放送マネージドアプリケーションを取得済みではないので、コンパニオンアプリケーションがあるかを確認する（ステップＳ９）。コンパニオンアプリケーションがなければ、ベアリング不可として（ステップＳ１６）、処理を終了する。
【００５９】
外部端末４０２の連携制御部４８は、コンパニオンアプリケーションがあれば、アプリケーション指定の放送チャネル（チャネル２）でホームネットワークに接続している受信機３０１，３０２にペアリング要求を送信する（ステップＳ１０）。連携制御部４８は送受信部４７を介して全ての受信機３０１，３０２から応答があったかを確認し（ステップＳ１１）、そうであれば、応答リストを作成して記憶部に記憶する（ステップＳ１２）。そして、連携制御部４８は、ペアリングの確立時に利用予定のチャネルが決まっているかを確認する（ステップＳ１３）。そのチャネルが決まっていなければ、処理を終了する。そのチャネルが決まっていれば、そのチャネルで選局可能な受信機があるかを応答リストで確認する（ステップＳ１４）。
【００６０】
連携制御部４８は、選局可能な受信機がなければ、ペアリング不可として（ステップＳ１７）、処理を終了する。選局可能な受信機があれば、その受信機に利用予定のチャネルでマスターとなるように依頼通知を送信する（ステップＳ１５）。連携制御部４８は受信機から受理通知があるかを確認し（ステップＳ７）、受理通知あれば、ペアリングを確立する（ステップＳ８）。
【００６１】
こうして、外部端末４０２は、ホームネットワーク内にある受信機に対して、コンパニオンアプリケーションが指定の放送チャネルの利用の可否を確認してペアリングを行うので、受信可能な受信機のみとペアリングを行うことができ、受信可能ではない受信機にペアリングを要求することはなくなる。
【００６２】
以上、本発明について詳述してきたが、具体的な構成は実施形態に限られるものではなく、この発明の要旨を逸脱しない範囲の設計等も特許請求の範囲に含まれる。
【符号の説明】
【００６３】
１        ：放送サーバ
２        ：通信サーバ
３        ：デジタル放送受信機
４        ：外部端末
１１      ：チューナ部
１２      ：放送波受信部
１３      ：記憶部
２０      ：受信機用出力部
２１      ：音声制御部
２２      ：表示制御部
２３      ：スピーカ
２４      ：表示部
３１      ：通信部
３２      ：受信機用制御部
３３      ：端末連携制御部
３４      ：アプリケーション取得制御部
３６      ：アプリケーション実行制御部
３７      ：送受信部
３８      ：連携制御部
４１      ：通信部
４２      ：端末用制御部
４３      ：端末連携制御部
４４      ：アプリケーション取得制御部
４５      ：アプリケーション実行制御部
４７      ：送受信部
４８      ：連携制御部
５０      ：受信機用出力部
５１      ：音声制御部
５２      ：表示制御部
５３      ：スピーカ
５４      ：表示部
【図１】
2015139149.tif 000003
【図２】
2015139149.tif 000004
【図３】
2015139149.tif 000005
【図４】
2015139149.tif 000006
【図５】
2015139149.tif 000007
【手続補正書】
【提出日】平成26年12月11日(2014.12.11)
【手続補正１】
【補正対象書類名】明細書
【補正対象項目名】００３４
【補正方法】変更
【補正の内容】
【００３４】
端末用制御部４２は、放送マネージドアプリケーションを取得するアプリケーション取得制御部４４と、取得された放送マネージドアプリケーションを起動・終了するアプリケーション実行制御部４５とを備える。アプリケーション取得制御部４４は、デジタル放送受信機３から端末連携により通知されるＡＩＴに基づいて、アプリケーション取得要求（デジタル放送受信機３を識別する識別子と、上述のＡＩＴのアプリケーションＩＤ、ＵＲＬと、を少なくとも含む）を、通信部４１を介して通信サーバ２に送信し、通信サーバ２から放送マネージドアプリケーションを取得する。アプリケーション実行制御部４５は、その放送マネージドアプリケーションを起動させて端末用出力部５０に提示する。
【手続補正２】
【補正対象書類名】明細書
【補正対象項目名】００３９
【補正方法】変更
【補正の内容】
【００３９】
外部端末４０２は、ペアリング確立状態ではないので、受信機３０１，３０２，３０３に対して放送チャネル２でのペアリング要求を送信する（Ｔ１１）。受信機３０１，３０２，３０３は、これに対するペアリング応答を外部端末４０２に返す（Ｔ１２）。受信機３０１は、外部端末４０１と放送チャネル１において連携動作中（ペアリング中）であるので、「チャネル１受信中」と受信感度（受信レベル）の応答を返す。また、受信機３０２は、単独で放送チャネル２を受信中、あるいは受信可能であるので、「チャネル２受信可」と受信感度との応答を返す。また、受信機３０３は、受信状態が不良であるので、「チャネル２受信不可」と応答を返す。
【手続補正３】
【補正対象書類名】明細書
【補正対象項目名】００４０
【補正方法】変更
【補正の内容】
【００４０】
外部端末４０２は、応答のあった受信機３０１，３０２，３０３の応答をリスト化して記憶部に記憶する（Ｔ１３）。外部端末４０２は、応答リストに基づいて受信可能な受信機を判定する（Ｔ１４）。すなわち、応答リストに格納されているペアリングで利用する放送チャネルを選局して受信できるか、そして更にそのチャネルの受信感度が受信可能なレベルであるのかを判定する。その判定結果として、放送チャネル２を受信可能なのは、受信機３０２であるので、受信機３０２にマスターとなるように依頼通知を送る（Ｔ１５）。受信機３０１は放送チャネル１を受信中、受信機３０３は受信状態不良であるから、この二つにはマスターとなるようにという依頼は送らない。依頼を受けた受信機３０２は、受理通知を外部端末４０２に返信する（Ｔ１６）。外部端末４０２が受理通知を受信すると、外部端末４０２と受信機３０２は連携を確立し、連携状態となる（Ｔ１７）。受信機３０２は、放送チャネル２に選局状態をロックし受信を始める（Ｔ１８）。これは、受信機３０２の端末連携制御部３３が連携状態になったことを受信機用制御部３２に通知し、受信機用制御部３２が放送波受信部１２に選局状態をロックさせることにより達成する。こうすることで、ペアリング中は、受信機に対して、リモコンなどで他チャネルに選局できないようにする。
【手続補正４】
【補正対象書類名】明細書
【補正対象項目名】００４５
【補正方法】変更
【補正の内容】
【００４５】
ステップＳ１において、放送マネージドアプリケーションを取得済みでなければ、ステップ９に進むが、これは第３実施形態の処理であるので、後述する。
【手続補正５】
【補正対象書類名】明細書
【補正対象項目名】００６３
【補正方法】変更
【補正の内容】
【００６３】
１        ：放送局サーバ
２        ：通信サーバ
３        ：デジタル放送受信機
４        ：外部端末
１１      ：チューナ部
１２      ：放送波受信部
１３      ：記憶部
２０      ：受信機用出力部
２１      ：音声制御部
２２      ：表示制御部
２３      ：スピーカ
２４      ：表示部
３１      ：通信部
３２      ：受信機用制御部
３３      ：端末連携制御部
３４      ：アプリケーション取得制御部
３６      ：アプリケーション実行制御部
３７      ：送受信部
３８      ：連携制御部
４１      ：通信部
４２      ：端末用制御部
４３      ：端末連携制御部
４４      ：アプリケーション取得制御部
４５      ：アプリケーション実行制御部
４７      ：送受信部
４８      ：連携制御部
５０      ：端末用出力部
５１      ：音声制御部
５２      ：表示制御部
５３      ：スピーカ
５４      ：表示部